(57)【特許請求の範囲】
【請求項１】
端子接続面と、内部に設けられた収容部とを有し、前記端子接続面に、電線の導体部が挿抜可能な第１開口部と、前記第１開口部に隣接しかつ治具が挿抜可能な第２開口部と、前記第２開口部に隣接しかつ前記導体部の接続状態を表示可能な第３開口部とが直列的に並んで配置されて前記収容部にそれぞれ接続されている絶縁性のハウジングと、
前記収容部に配置された端子電極部、板ばね部、表示用可動部材および復帰用ばね部と
を備え、
前記収容部が、
前記端子接続面に交差する方向に延びかつ前記第１開口部に接続されていると共に、前記電線の前記導体部が移動可能な電線通路部と、
前記端子接続面に交差する方向に延びかつ前記第２開口部に接続されていると共に、前記治具が移動可能な治具通路部と、
前記第１開口部、前記第２開口部および前記第３開口部の配列方向に沿って延びて、前記端子接続面に交差する方向において前記電線通路部および前記治具通路部を前記端子接続面と共に挟むように配置されたガイド面と
を有し、
前記端子電極部が、
前記電線通路部に沿って延びていると共に、前記第１開口部から前記電線通路部に挿入された前記導体部に接触可能に配置された接触部を有し、
前記板ばね部が、
一方の端部に設けられ、前記配列方向において、前記端子電極部の前記接触部との間に前記電線通路部および前記治具通路部が位置するように前記ハウジングに固定された固定部と、
他方の端部に設けられ、前記配列方向における前記固定部と前記端子電極部との間で前記端子電極部の前記接触部に対向しかつ前記電線通路部および前記治具通路部に亘って配置されて、前記固定部に対して移動可能な可動部と
を有し、
前記可動部が、前記第１開口部から前記電線通路部に挿入された前記導体部を前記端子電極部の前記接触部との間で挟持するように前記固定部に対して移動して前記導体部と前記端子電極部とを接続状態にすると共に、前記第２開口部から前記治具通路部に挿入された前記治具に接触し、前記可動部と前記導体部との接触を解除するように前記固定部に対して移動して、前記導体部と前記端子電極部とを非接続状態にするよう配置され、
前記表示用可動部材が、
前記端子接続面に交差する方向に延びている共に、その延在方向の先端部が、前記第３開口部で前記ハウジングの外部に露出する表示位置と、前記収容部に収容された非表示位置との間を往復移動可能な本体部と、
前記ガイド面に沿って延びて、延在方向の第１端部が前記電線通路部で前記導体部に接触して前記端子接続面に交差する方向でかつ前記端子接続面から離れる第１方向に移動可能に配置され、延在方向の第２端部が前記本体部に接続されていると共に、前記第１端部が前記第１方向に移動することにより、前記配列方向に移動して、前記本体部を前記端子接続面に交差する方向でかつ前記端子接続面に接近する第２方向に移動させる接触可動部と
を有し、
前記復帰用ばね部が、
前記表示用可動部材の前記本体部を前記第１方向に向かって付勢するように構成され、
前記導体部が、前記第１開口部から前記電線通路部に挿入されて、前記接触可動部の前記第１端部を前記第１方向に移動させることにより、前記本体部が前記第２方向に移動し、前記端子接続面に近い方の先端部が前記非表示位置から前記表示位置に移動して、前記導体部の前記端子電極部に対する接続状態が前記非接続状態から前記接続状態に変更されたことを表示し、
前記導体部が前記電線通路部から抜出されることにより、前記本体部が前記復帰用ばね部の付勢力によって前記第１方向に向かって移動し、前記先端部が前記表示位置から前記非表示位置に移動して、前記導体部の前記端子電極部に対する接続状態が前記接続状態から前記非接続状態に変更されたことを表示し、
前記表示用可動部材の前記接触可動部が、
前記ガイド面に沿って延びて、その延在方向の一端部が前記第２端部を構成していると共に、前記第１端部の前記第１方向および前記第２方向の移動に応じて前記ガイド面を摺動する当接部を有する第１部材と、
前記配列方向でかつ前記本体部から離れるに従って前記端子接続面に接近する方向に延びていると共に、延在方向の一端部が前記第１部材のその延在方向の他端部に接続され、延在方向の他端部が前記第１端部を構成している第２部材と
を有する、端子台。
【請求項２】
前記収容部が、
前記端子接続面に交差する方向に延びかつ前記第３開口部に接続されていると共に、前記端子接続面に交差する方向において前記端子接続面と前記ガイド面とで挟まれるように配置され、前記配列方向において前記第２開口部との間に前記第３開口部が位置するように配置されて、前記表示用可動部材の前記本体部が移動可能な可動部材通路部を有する、請求項１の端子台。
【請求項３】
前記可動部材通路部が、その第３開口部側の端部に設けられ、前記第２方向でかつ前記第２開口部に接近する方向に湾曲する湾曲部を有し、
前記表示用可動部材の前記本体部の前記先端部が、前記湾曲部の湾曲形状に沿って湾曲している、請求項２の端子台。
【請求項４】
前記表示用可動部材および前記復帰用ばね部が、一体に設けられている、請求項１から３のいずれか１つの端子台。
【請求項５】
前記復帰用ばね部が、金属部材を有している、請求項１から４のいずれか１つの端子台。
【請求項６】
前記復帰用ばね部が、前記端子接続面に交差する方向に沿って配置された板ばねで構成されている、請求項５の端子台。
【請求項７】
前記復帰用ばね部が、前記配列方向における前記接触可動部の前記第１端部と前記第２端部との間で、前記接触可動部と一体に設けられており、
前記復帰用ばね部の一端部が、前記配列方向に折り曲げられて、前記接触可動部の内部に配置されている、請求項６の端子台。
【請求項８】
前記接触可動部が、板状を有し、前記第１端部の厚さが、前記本体部の厚さよりも大きくなるように構成されている、請求項５から７のいずれか１つの端子台。
【発明の詳細な説明】
【技術分野】
【０００１】
本開示は、プッシュイン接続式の端子台に関する。
【背景技術】
【０００２】
特許文献１には、電線を挿抜可能な開口部およびこの開口部に隣接して配置された確認窓を有する端子接続面と、内部に設けられかつ開口部に接続された収容部とを有するハウジングを備えた端子台が開示されている。前記端子台では、電線の挿抜に応じて、収容部の端子接続面に交差する方向における略中心に回動軸まわりに回動する長尺の表示体が収容部に設けられている。この表示体には、長手方向の一端に設けられかつ表示体の回動により確認窓から露出可能に配置された表示部が一体に設けられ、この表示部が確認窓から露出しているか否かによって、電線の接続状況が使用者に報知されるようになっている。
【先行技術文献】
【特許文献】
【０００３】
【特許文献１】実用新案登録第３０９８９３７号公報
【発明の概要】
【発明が解決しようとする課題】
【０００４】
前記端子台では、表示体の回動軸からの表示部までの距離が長いため、例えば、前記端子台を小型化すると、収容部に表示部の回動領域を十分に確保できず、正確な電線の接続状況を使用者に報知できない場合がある。
【０００５】
本開示は、電線の接続状況を使用者に正確に報知できる端子台を提供することを目的とする。
【課題を解決するための手段】
【０００６】
本開示の一例の端子台は、
内部に設けられた収容部と、端子接続面とを有し、前記端子接続面に、電線の導体部が挿抜可能な第１開口部と、前記第１開口部に隣接しかつ治具が挿抜可能な第２開口部と、前記第２開口部に隣接しかつ前記導体部の接続状態を表示可能な第３開口部とが直列的に並んで配置されて前記収容部にそれぞれ接続されている絶縁性のハウジングと、
前記収容部に配置された端子電極部、板ばね部、表示用可動部材および復帰用ばね部と
を備え、
前記収容部が、
前記端子接続面に交差する方向に延びかつ前記第１開口部に接続されていると共に、前記電線の前記導体部が移動可能な電線通路部と、
前記端子接続面に交差する方向に延びかつ前記第２開口部に接続されていると共に、前記治具が移動可能な治具通路部と、
前記第１開口部、前記第２開口部および前記第３開口部の配列方向に沿って延びて、前記端子接続面に交差する方向において前記電線通路部および前記治具通路部を前記端子接続面と共に挟むように配置されたガイド面と
を有し、
前記端子電極部が、
前記電線通路部に沿って延びていると共に、前記第１開口部から前記電線通路部に挿入された前記導体部に接触可能に配置された接触部を有し、
前記板ばね部が、
一方の端部に設けられ、前記配列方向において、前記端子電極部の前記接触部との間に前記電線通路部および前記治具通路部が位置するように前記ハウジングに固定された固定部と、
他方の端部に設けられ、前記配列方向における前記固定部と前記端子電極部との間で前記端子電極部の前記接触部に対向しかつ前記電線通路部および前記治具通路部に亘って配置されて、前記固定部に対して移動可能な可動部と
を有し、
前記可動部が、前記第１開口部から前記電線通路部に挿入された前記導体部を前記端子電極部の前記接触部との間で挟持するように前記固定部に対して移動して前記導体部と前記端子電極部とを接続状態にすると共に、前記第２開口部から前記治具通路部に挿入された前記治具に接触し、前記可動部と前記導体部との接触を解除するように前記固定部に対して移動して、前記導体部と前記端子電極部とを非接続状態にするよう配置され、
前記表示用可動部材が、
前記端子接続面に交差する方向に延びている共に、その延在方向の先端部が、前記第３開口部で前記ハウジングの外部に露出する表示位置と、前記収容部に収容された非表示位置との間を往復移動可能な本体部と、
前記ガイド面に沿って延びて、延在方向の第１端部が前記電線通路部で前記導体部に接触して前記端子接続面に交差する方向でかつ前記端子接続面から離れる第１方向に移動可能に配置され、延在方向の第２端部が前記本体部に接続されていると共に、前記第１端部が前記第１方向に移動することにより前記配列方向に移動して、前記本体部を前記端子接続面に交差する方向でかつ前記端子接続面に接近する第２方向に移動させる接触可動部と
を有し、
前記復帰用ばね部が、
前記表示用可動部材の前記本体部を前記第１方向に向かって付勢するように構成され、
前記導体部が、前記第１開口部から前記電線通路部に挿入されて、前記接触可動部の前記第１端部を前記第１方向に移動させることにより、前記本体部が前記第２方向に移動し、前記本体部の前記端子接続面に近い方の先端部が、前記非表示位置から前記表示位置に移動して、前記導体部の前記端子電極部に対する接続状態が前記非接続状態から前記接続状態に変更されたことを表示し、
前記導体部が前記電線通路部から抜出されることにより、前記本体部が前記復帰用ばね部の付勢力によって前記第１方向に向かって移動し、前記先端部が前記表示位置から前記非表示位置に移動して、前記導体部の前記端子電極部に対する接続状態が前記接続状態から前記非接続状態に変更されたことを表示する。
【発明の効果】
【０００７】
前記端子台によれば、表示用可動部材により、電線の導体部が第１開口部から電線通路部に挿入されて接触可動部の第１端部を第１方向に移動させたときに、本体部の先端部が第３開口部を介して収容部からハウジングの外部に露出して、導体部の端子電極部に対する接続状態が非接続状態から接続状態に変更されたことが表示される。また、電線の導体部が電線通路部から抜出されたときに、本体部が復帰用ばね部の付勢力によって第１方向に向かって移動し第３開口部からハウジングの外部に露出した先端部が収容部に収容されて、導体部の端子電極部に対する接続状態が接続状態から非接続状態に変更されたことが表示される。すなわち、前記端子台は、回転運動ではなく、表示用可動部材の先端部の端子接続面に交差する方向への直線的な移動により、第３開口部において導体部が端子電極部に対して接続状態であるか非接続状態であるかを表示することができるので、端子台を小型化しても、収容部内に表示用可動部材の可動領域を確保することができる。その結果、端子台を小型化しても、正確な電線の接続状況を使用者に報知できる。
【図面の簡単な説明】
【０００８】
【図１】本開示の第１実施形態の端子台を示す斜視図。
【図２】図１の端子台の収容部および端子接続部を示す拡大平面図。
【図３】図１の端子台の表示用可動部材を示す斜視図。
【図４】図１の端子台の動作を説明するための第１の平面模式図。
【図５】図１の端子台の動作を説明するための第２の平面模式図。
【図６】図１の端子台の動作を説明するための第３の平面模式図。
【図７】本開示の第２実施形態の端子台を示す斜視図。
【図８】図７の端子台の収容部および端子接続部を示す拡大平面図。
【図９】図７の端子台の表示用可動部材を示す斜視図。
【図１０】図７の端子台の表示用可動部材を示す平面。
【図１１】図７の端子台の第１の変形例を示す平面模式図。
【図１２】図７の端子台の第２の変形例を示す平面模式図。
【図１３】図７の端子台の第３の変形例を示す平面模式図。
【図１４】図７の端子台の第４の変形例を示す平面模式図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
（第１実施形態）
本開示の第１実施形態の端子台１は、図１に示すように、絶縁性のハウジング２と、このハウジング２の内部に設けられた端子接続部３とを備えている。この端子台１には、一例として、２つの端子接続部３が設けられている。各端子接続部３は、端子電極部２０、板ばね部３０、表示用可動部材４０および復帰用ばね部５０を有している。
【００１１】
ハウジング２は、図１に示すように、中空の略矩形板状で、各々に端子接続部３が収容された２つの収容部１０と、端子接続面１１とを有している。
【００１２】
各収容部１０は、ハウジング２の内部に設けられ、ハウジング２の長手方向の中心を通る仮想直線Ｌに対して略対称に配置されている。
【００１３】
端子接続面１１は、ハウジング２の長手方向に延びる側面の一方を構成している。端子接続面１１には、二組の第１開口部１２、第２開口部１３および第３開口部１４が直列的に並んで設けられ、各組の第１開口部１２、第２開口部１３および第３開口部１４が、それぞれ各収容部１０に接続されている。第１開口部１２は、電線の導体部が挿抜可能に構成され、第２開口部１３は、第１開口部１２に隣接しかつ治具が挿抜可能に構成され、第３開口部１４は、第２開口部１３に隣接しかつ導体部の接続状態を表示可能に構成されている。
【００１４】
各収容部１０における第１開口部１２、第２開口部１３および第３開口部１４の配列方向（すなわち、ハウジング２の長手方向。以下、単に配列方向という。）と端子接続面１１に交差（例えば、直交）する方向とに交差する幅方向Ｗの一方には、開口部を有する開口面１５が設けられている。この開口部から、端子接続部３（すなわち、端子電極部２０、板ばね部３０、表示用可動部材４０および復帰用ばね部５０）が、ハウジング２の外部に露出している。
【００１５】
各収容部１０には、端子接続面１１に相対するガイド面１６が設けられている。このガイド面１６は、一例として、後述する端子電極部２０の横板部２２上に設けられ、配列方向に沿って延びて、後述する表示用可動部材４０の接触可動部４２が接触するように配置されている。
【００１６】
また、各収容部１０は、図２に示すように、電線通路部６１と、治具通路部６２と、可動部材通路部６３とを有している。電線通路部６１、治具通路部６２および可動部材通路部６３は、端子接続面１１に交差する方向において、端子接続面１１とガイド面１６とで挟まれるように配置されている。
【００１７】
電線通路部６１は、端子接続面１１に交差（例えば、直交）する方向に延びかつ第１開口部１２に接続されて、電線の導体部が移動可能に構成されている。治具通路部６２は、端子接続面１１に交差（例えば、直交）する方向に延びかつ第２開口部１３に接続されて、治具が移動可能に構成されている。
【００１８】
可動部材通路部６３は、端子接続面１１に交差（例えば、直交）する方向に延びかつ第３開口部１４に接続されていると共に、後述する表示用可動部材４０の本体部４１が移動可能に構成されている。この可動部材通路部６３は、配列方向において、第２開口部１３との間に第３開口部１４が位置するように配置されている。すなわち、可動部材通路部６３は、端子接続面１１に直交する方向から見た場合に、第３開口部１４を介してハウジング２の外部に露出しないように配置されている。
【００１９】
また、可動部材通路部６３の第３開口部１４側の端部には、湾曲部６４が設けられている。この湾曲部６４は、端子接続面１１に交差する方向における前記端子接続面１１に接近する方向で、配列方向における第３開口部１４から第２開口部１３に向かう方向に湾曲している。
【００２０】
電線通路部６１および治具通路部６２は、配列方向において、端子電極部２０と後述する板ばね部３０の固定部３１との間に配置されている。電線通路部６１が端子電極部２０の近くに配置され、治具通路部６２が板ばね部３０の固定部３１の近くに配置されている。また、可動部材通路部６３は、配列方向において、治具通路部６２との間に板ばね部３０の固定部３１が位置するように配置されている。
【００２１】
端子電極部２０は、図２に示すように、電線通路部６１に沿って延びていると共に、第１開口部１２から収容部に挿入された導体部に接触可能に配置された接触部２３を有している。
【００２２】
詳しくは、端子電極部２０は、端子接続面１１に交差（例えば、直交）する方向に延びている略矩形板状の縦板部２１と、配列方向に延びている略矩形板状の横板部２２とで構成されている。横板部２２は、配列方向において、電線通路部６１に対して治具通路部６２の反対側に配置され、後述する板ばね部３０の可動部３２に対向する面に接触部２３が設けられている。また、横板部２２は、縦板部２１のガイド面１６に近い方の端部に接続され、端子接続面１１に相対する面がガイド面１６を構成している。なお、図１に示すように、各収容部１０に配置されている端子電極部２０の横板部２２は、相互に接続されて一体化されている。
【００２３】
板ばね部３０は、図２に示すように、中間部が屈曲した板状で、延在方向の一方の端部に設けられた固定部３１と、延在方向の他方の端部に設けられた可動部３２とを有している。
【００２４】
固定部３１は、配列方向において、端子電極部２０の縦板部２１との間に電線通路部６１および治具通路部６２が位置するようにハウジング２に固定されている。詳しくは、固定部３１は、配列方向における治具通路部６２と可動部材通路部６３との間でかつ端子接続面１１に直交する方向における端子接続面１１とガイド面１６との間に配置されたハウジング２の板ばね固定部１７に固定されている。
【００２５】
可動部３２は、配列方向における固定部３１と端子電極部２０との間でかつ端子電極部２０の近傍に配置されている。すなわち、可動部３２は、端子電極部２０の縦板部２１の近傍で、縦板部２１の接触部２３に対向するように配置されていると共に、電線通路部６１および治具通路部６２に亘って配置されている。また、可動部３２は、固定部３１に対して接近する方向に弾性変形して移動可能に構成されている。
【００２６】
表示用可動部材４０は、図２に示すように、中間部が屈曲した細長い板状で、本体部４１と、ガイド面１６に沿って延びて本体部４１に接続された接触可動部４２とを有している。表示用可動部材４０は、一例として、絶縁性の樹脂で構成されている。
【００２７】
本体部４１は、可動部材通路部６３において端子接続面１１に交差する方向に往復移動可能に配置され、可動部材通路部６３の延在方向に沿って端子接続面１１の近傍からガイド面１６の近傍まで延びている。詳しくは、この本体部４１は、その延在方向における端子接続面１１に近い方の先端部４３が、第３開口部１４でハウジング２の外部に露出する表示位置Ｐ２（図５参照）と、収容部１０に収容された非表示位置Ｐ１（図４参照）との間を往復移動可能に構成されている。図３に示すように、本体部４１の先端部４３は、可動部材通路部６３の湾曲部６４の湾曲形状に沿って湾曲している。
【００２８】
なお、図３に示すように、本体部４１の中間部は、その延在方向の両端部よりも幅方向Ｗの寸法が小さくなっている。これにより、表示用可動部材４０を軽量化して、本体部４１を端子接続面１１に交差する方向に移動させ易くしている。
【００２９】
接触可動部４２は、ガイド面１６に沿って延びて、延在方向の第１端部４４が、電線通路部６１で電線の導体部に接触して、端子接続面１１に交差する方向でかつ端子接続面１１から離れる第１方向Ａに移動可能に配置され、延在方向の第２端部４５が、本体部４１に接続されている。
【００３０】
詳しくは、図３に示すように、接触可動部４２は、中間部が屈曲した板状で、第１部材４２１と第２部材４２２とを有している。
【００３１】
第１部材４２１は、ガイド面１６に沿って延びて、延在方向の一端部が第２端部４５を構成している。第１部材４２１の一端部（すなわち、接触可動部４２の第２端部４５）と本体部４１との接続部分は、端子接続面１１に交差する方向においてガイド面１６に向かって湾曲した湾曲形状を有している。また、第１部材４２１の第２部材４２２側の端部には、第１端部４４の端子接続面１１に交差する方向（すなわち、第１方向Ａ、および、端子接続面１１に交差する方向でかつ端子接続面１１に接近する第２方向Ｂ）の移動に応じてガイド面１６上を摺動する当接部４２３が設けられている。
【００３２】
第２部材４２２は、配列方向でかつ本体部４１から離れるに従って端子接続面１１に接近する方向に延びて、第１方向Ａに弾性変形可能に構成されている。すなわち、第２部材４２２は、ガイド面１６に対して、端子電極部２０に接近するに従ってガイド面１６から離れる方向に傾斜しており、端子接続面１１に交差する方向において、接触可動部４２の第１端部４４を構成する延在方向の他端部とガイド面１６との間に隙間が設けられている。第２部材４２２の延在方向の一端部は、第１部材４２１のその延在方向の他端部に接続され、第２部材４２２の延在方向の他端部は、第１端部４４を構成している。
【００３３】
また、表示用可動部材４０は、図３に示すように、本体部４１から、本体部４１の延在方向に交差する方向に延びている突出部４６を有している。この突出部４６は、図２に示すように、本体部４１の先端部４３の近傍に設けられ、本体部４１から第２開口部１３に向かって延びている。すなわち、突出部４６は、本体部４１に対して、配列方向において本体部４１から端子電極部２０の縦板部２１に向かって離れるに従って、端子接続面１１に直交する方向において端子接続面１１に接近する方向に傾斜している。
【００３４】
復帰用ばね部５０は、図２に示すように、表示用可動部材４０の本体部４１を第１方向Ａに向かって付勢するように構成されている。この実施形態では、復帰用ばね部５０は、一例として、樹脂で構成され、表示用可動部材４０の接触可動部４２に一体に設けられている。
【００３５】
詳しくは、図３に示すように、復帰用ばね部５０は、接触可動部４２の第１部材４２１と第２部材４２２との接続部分における端子接続面１１に相対する部分から、板ばね部３０の固定部３１に向かって延びている。復帰用ばね部５０のその延在方向における接触可動部４２から遠い方の先端部５１は、図２に示すように、第２方向Ｂからハウジング２の板ばね固定部１７に接触している。
【００３６】
また、各収容部１０は、図２に示すように、第１移動規制部７１、第２移動規制部７２および第３移動規制部７３を有している。
【００３７】
第１移動規制部７１は、ハウジング２に一体に設けられて、幅方向Ｗ（すなわち、図２の紙面貫通方向）において、板ばね部３０の可動部３２の移動を規制するように構成されている。詳しくは、第１移動規制部７１は、端子接続面１１に交差する方向における端子接続面１１と板ばね部３０の可動部３２との中間から、表示用可動部材４０の接触可動部４２の第１端部４４の近傍まで、電線通路部６１に沿って延びている。すなわち、第１移動規制部７１は、板ばね部３０の可動部３２の可動領域（詳しくは、可動部３２の先端部３２１の可動領域）を覆うと共に、第１開口部１２から電線通路部６１に挿入された電線の導体部を表示用可動部材４０の接触可動部４２の第１端部４４に向かって案内可能に配置されている。
【００３８】
第２移動規制部７２は、表示用可動部材４０の接触可動部４２の配列方向への移動を許容しつつ、幅方向Ｗにおいて、表示用可動部材４０の接触可動部４２の移動を規制するように構成されている。詳しくは、第２移動規制部７２は、幅方向Ｗにおいて、表示用可動部材４０の接触可動部４２における第１部材４２１の当接部４２３の移動を規制するように、ガイド面１６に端子電極部２０の横板部２２と一体に設けられている。
【００３９】
第３移動規制部７３は、ハウジング２に一体に設けられて、幅方向Ｗにおいて、突出部４６の移動を規制するように構成されている。詳しくは、第３移動規制部７３は、第３開口部１４から第２方向Ｂに延びて、突出部４６の先端部４６１の可動領域を覆っている。
【００４０】
次に、第１開口部１２に電線の導体部１００を挿入し、第２開口部１３に治具１１０を挿入したときの端子台１の動作について、図４〜図６を用いて説明する。
【００４１】
図４に示すように、端子台１の第１開口部１２から電線の導体部１００を収容部１０の電線通路部６１に挿入していくと、挿入された電線の導体部１００が、板ばね部３０の可動部３２に接触して、可動部３２を第１方向Ａに押圧する。これにより、可動部３２が、その弾性力に抗して固定部３１に接近する方向に弾性変形し、電線の導体部１００が、図５に示すように、可動部３２と端子電極部２０の縦板部２１との間で挟持されて、電線の導体部１００と端子電極部２０とが接続状態となる。
【００４２】
さらに、電線の導体部１００を第１開口部１２から電線通路部６１に挿入していくと、電線の導体部１００が、表示用可動部材４０の接触可動部４２の第１端部４４を第１方向Ａに押圧して移動させる。接触可動部４２の第１端部４４が第１方向Ａに移動すると、接触可動部４２の当接部４２３が、ガイド面１６上を配列方向でかつ端子電極部２０の縦板部２１から離れる方向に摺動する（すなわち、接触可動部４２が、ガイド面１６に接触しつつ移動する）一方、表示用可動部材４０の本体部４１の先端部４３が、第２方向Ｂ沿いを非表示位置Ｐ１から表示位置Ｐ２に移動して、第３開口部１４を介して収容部１０からハウジング２の外部に露出する。これにより、電線の導体部１００の端子電極部２０に対する接続状態が、非接続状態から接続状態に変更されたことが表示される。
【００４３】
続いて、図５に示す電線の導体部１００と端子電極部２０とが接続状態の端子台１の第２開口部１３から治具通路部６２に治具１１０を挿入していくと、図６に示すように、治具１１０の先端が、板ばね部３０の可動部３２に接触して、可動部３２をその弾性力に抗してさらに固定部３１に接近する方向に弾性変形させる。これにより、可動部３２と電線の導体部１００との接触が解除され、電線の導体部１００と端子電極部２０とが非接続状態となる。これ以降、収容部１０内の電線の導体部１００を収容部１０外に引き抜くことができるようになる。
【００４４】
電線の導体部１００を収容部１０外に引き抜くと、表示用可動部材４０の本体部４１が復帰用ばね部５０の付勢力によって第１方向Ａに向かって移動する一方、導体部１００により第１方向Ａに押圧されていた接触可動部４２の第１端部４４が、自身の弾性力より第２方向Ｂに向かって移動して、表示用可動部材４０が図４に示す位置に復帰する。このとき、第３開口部１４からハウジング２の外部に露出した本体部４１の先端部４３は、第２方向Ｂ沿いを表示位置Ｐ２から非表示位置Ｐ１に移動して、収容部１０に収容される。これにより、電線の導体部１００の端子電極部２０に対する接続状態が、接続状態から非接続状態に変更されたことが表示される。
【００４５】
このように、前記端子台１によれば、端子接続面１１に交差する方向に延びている共に、その延在方向の先端部４３が、第３開口部１４でハウジング２の外部に露出する表示位置Ｐ２と、収容部１０に収容された非表示位置Ｐ１との間で往復移動可能な本体部４１と、ガイド面１６に沿って延びて、延在方向の第１端部４４が電線通路部６１で電線の導体部１００に接触して端子接続面１１から離れる第１方向Ａに移動可能に配置され、延在方向の第２端部４５が本体部４１に接続されていると共に、第１端部４４が第１方向Ａに移動することにより配列方向に移動して、本体部４１を端子接続面１１に接近する第２方向Ｂに移動させる接触可動部４２とを有する表示用可動部材４０を備えている。この表示用可動部材４０により、電線の導体部１００が第１開口部１２から電線通路部６１に挿入されて接触可動部４２の第１端部４４を第１方向Ａに移動させたときに、本体部４１の先端部４３が第３開口部１４を介して収容部１０からハウジング２の外部に露出して、導体部１００の端子電極部２０に対する接続状態が非接続状態から接続状態に変更されたことが表示される。また、電線の導体部１００が電線通路部６１から抜出されたときに、本体部４１が復帰用ばね部５０の付勢力によって第１方向Ａに向かって移動し第３開口部１４からハウジング２の外部に露出した先端部４３が収容部１０に収容されて、導体部１００の端子電極部２０に対する接続状態が接続状態から非接続状態に変更されたことが表示される。すなわち、前記端子台１は、回転運動ではなく、表示用可動部材４０の先端部４３の端子接続面１１に交差する方向への直線的な移動により、第３開口部１４において導体部１００が端子電極部２０に対して接続状態であるか非接続状態であるかを表示することができるので、端子台１を小型化しても、収容部１０内に表示用可動部材４０の可動領域を確保することができる。その結果、端子台１を小型化しても、正確な電線の接続状況を使用者に報知できる。
【００４６】
また、収容部１０が、端子接続面１１に交差する方向に延びかつ第３開口部１４に接続されていると共に、配列方向において第２開口部１３との間に第３開口部１４が位置するように配置されて、表示用可動部材４０の本体部４１が移動可能な可動部材通路部６３を有している。このような構成により、表示用可動部材４０の本体部４１の先端部４３が収容部１０内に位置している場合（すなわち、導体部１００の端子電極部２０に対する接続状態が非接続状態である場合）に、端子接続面１１に直交する方向において、本体部４１の先端部４３が第３開口部１４からハウジング２の外部に露出し難くすることができる。その結果、導体部１００の端子電極部２０に対する接続状態が非接続状態であるにもかかわらず、導体部１００の端子電極部２０に対する接続状態が接続状態であるとの誤った判断が行われるのを防ぐことができ、電線の接続状況をより正確に使用者に報知できる。
【００４７】
また、可動部材通路部６３が、その第３開口部１４側の端部に設けられ、第２方向Ｂでかつ第２開口部１３に接近する方向に湾曲する湾曲部６４を有し、表示用可動部材４０の本体部４１の先端部４３が、湾曲部６４の湾曲形状に沿って湾曲している。このような構成により、表示用可動部材４０の本体部４１を端子接続面１１に交差する方向に少ない力で容易に移動させることができる。
【００４８】
また、表示用可動部材４０および復帰用ばね部５０が、一体に設けられている。これにより、部品点数の増加を抑制して製造コストを低減可能な端子台１を実現できる。
【００４９】
また、表示用可動部材４０の接触可動部４２が、ガイド面１６に沿って延びて、その延在方向の一端部が第２端部４５を構成していると共に、第１端部４４の第１方向Ａおよび第２方向Ｂの移動に応じてガイド面１６上を摺動する当接部４２３を有する第１部材４２１と、配列方向でかつ本体部４１から離れるに従って端子接続面１１に接近する方向に延びていると共に、延在方向の一端部が第１部材４２１のその延在方向の他端部に接続され、延在方向の他端部が第１端部４４を構成している第２部材４２２とを有している。これにより、簡単な構成で、第３開口部１４において導体部２００が端子電極部２０に対して接続状態であるか非接続状態であるかを表示することができる。
【００５０】
また、前記端子台１によれば、ハウジング２が、幅方向Ｗにおいて板ばね部３０の可動部３２の移動を規制する第１移動規制部７１を一体に有している。この第１移動規制部７１により、収容部１０の開口面１５における開口部を覆う蓋などの部品を別部材として設けることなく、板ばね部３０が収容部１０の開口面１５からハウジング２の外部に脱落するのを防止することができるので、部品点数の増加を抑制して製造コストを低減可能な端子台１を実現できる。
【００５１】
また、第１移動規制部７１が、板ばね部３０の可動部３２の可動領域を覆うように構成されている。これにより、板ばね部３０が収容部１０の開口面１５からハウジング２の外部に脱落するのをより確実に防止することができる。
【００５２】
また、前記端子台１が、収容部１０に配置された表示用可動部材４０および第２移動規制部７２をさらに備え、収容部１０が配列方向に沿って延びるガイド面１６を有している。そして、第２移動規制部７２が、表示用可動部材４０の接触可動部４２の配列方向への移動を許容しつつ、幅方向Ｗにおいて、表示用可動部材４０の接触可動部４２の移動を規制する。この第２移動規制部７２により、収容部１０の開口面１５における開口部を覆う蓋などの部品を別部品として設けることなく、表示用可動部材４０が収容部１０の開口面１５からハウジング２の外部に脱落するのを防止することができるので、部品点数の増加を抑制して製造コストをより大きく低減可能な端子台１を実現できる。
【００５３】
また、表示用可動部材４０の接触可動部４２が、ガイド面１６に沿って延びて、その延在方向の一端部が第２端部４５を構成していると共に、第１端部４４の第１方向Ａおよび第２方向Ｂの移動に応じてガイド面１６上を摺動する当接部４２３を有する第１部材４２１と、配列方向でかつ本体部４１から離れるに従って端子接続面１１に接近する方向に延びていると共に、延在方向の一端部が第１部材４２１のその延在方向の他端部に接続され、延在方向の他端部が第１端部４４を構成している第２部材４２２とを有し、第２移動規制部７２が、幅方向Ｗにおいて、第１部材４２１の当接部４２３の移動を規制するように配置されている。これにより、表示用可動部材４０が収容部１０の開口面１５からハウジング２の外部に脱落するのをより確実に防止することができる。
【００５４】
また、表示用可動部材４０が、本体部４１から、本体部４１の延在方向に交差する方向に延びる突出部４６を有し、ハウジング２が、幅方向Ｗにおいて、突出部４６の移動を規制する第３移動規制部７３を一体に有している。この第３移動規制部７３により、収容部１０の開口面１５における開口部を覆う蓋などの部品を別部材として設けることなく、表示用可動部材４０が収容部１０の開口面１５からハウジング２の外部に脱落するのをより確実に防止することができる。
【００５５】
また、突出部４６が、本体部４１から第２開口部１３に向かって延びかつ本体部４１の先端部４３の近傍に配置されている。これにより、収容部１０内のスペース効率を高めて、小型化を図れる端子台１を実現できる。
【００５６】
また、第１移動規制部７１が、電線通路部６１に沿って配置され、第１開口部１２から電線通路部６１に挿入された電線の導体部１００を表示用可動部材４０の接触可動部４２の第１端部４４に向かって案内する。すなわち、電線の導体部１００を第１開口部１２から電線通路部６１に挿入することで、表示用可動部材４０の接触可動部４２の第１端部４４を第１方向Ａにより確実に移動させることができる。これにより、第３開口部１４において、導体部１００が端子電極部２０に対して接続状態であるか非接続状態であるかをより確実に表示することができる。
【００５７】
なお、可動部材通路部６３は、配列方向において第２開口部１３との間に第３開口部１４が位置するように配置されている場合に限らず、例えば、端子接続面１１に直交する方向に延びる仮想直線上に、可動部材通路部６３と第３開口部１４とを配置してもよい。この場合、可動部材通路部６３の湾曲部６４を省略することができる。また、表示用可動部材４０の本体部４１の先端部４３を導体部１００の端子電極部２０に対する接続状態の表示に適した任意の形状にすることができる。
【００５８】
復帰用ばね部５０は、表示用可動部材４０の本体部４１を第１方向Ａに向かって付勢するように構成されていればよい。例えば、復帰用ばね部５０は、表示用可動部材４０とは別体に設けてもよい。
【００５９】
表示用可動部材４０の接触可動部４２は、第１部材４２１と第２部材４２２とを有する場合に限らない。接触可動部４２は、第１端部４４が第１方向Ａに移動することにより配列方向に移動して、本体部４１を第２方向Ｂに移動させる構成であれば、任意の構成を採用できる。
【００６０】
ガイド面１６は、端子電極部２０の横板部２２に設ける場合に限らず、例えば、ハウジング２の収容部１０に設けてもよい。
【００６１】
第１移動規制部７１、第２移動規制部７２および第３移動規制部７３は、省略してもよい。例えば、第１移動規制部７１、第２移動規制部７２および第３移動規制部７３のいずれか１つを省略してもよいし、第１移動規制部７１、第２移動規制部７２および第３移動規制部７３のいずれか２つを省略してもよいし、第１移動規制部７１、第２移動規制部７２および第３移動規制部７３の全てを省略してもよい。第３移動規制部７２を省略する場合、表示用可動部材４０の本体部４１の突出部４６も省略できる。
【００６２】
突出部４６は、本体部４１から第２開口部１３に向かって延びかつ本体部４１の先端部４３の近傍に配置されている場合に限らず、端子台１の設計等に応じて本体部４１の任意の位置に配置できる。
【００６３】
（第２実施形態）
本開示の第２実施形態の端子台１は、図７〜図１０に示すように、次に示す点において、第１実施形態の端子台１とは異なっている。なお、第２実施形態では、第１実施形態と同一部分に同一参照番号を付して説明を省略し、第１実施形態と異なる点について説明する。
・４つの端子接続部３を備えている点。
・第１移動規制部７１および第２移動規制部７２を兼ねた第４移動規制部７４を備えている点。
・接触可動部４２が、第３部材４２４で構成されている点。
・第３移動規制部７３および表示用可動部材４０の突出部４６が省略されている点。
・復帰用ばね部５０が金属部材を有している点。
【００６４】
第２実施形態の端子台１では、ハウジング２が、仮想直線Ｌに対して左右に２つずつ配置された４つの収容部１０を有している。各収容部１０には、それぞれ端子接続部３が収容されている。
【００６５】
第４移動規制部は、図８に示すように、端子電極部２０に一体に設けられ、各収容部１０の開口面１５における開口部の一部を覆っている。第２実施形態では、第４移動規制部は、略矩形の板状を有し、短手方向に延びる辺の一方（すなわち、図８の左側の辺）が縦板部２１に接続され、長手方向に延びる辺の一方（すなわち、図８の下側の辺）が横板部２２に接続されている。この第４移動規制部によって、電線通路部６１の一部、板ばね部３０の固定部３１の一部、および、表示用可動部材４０の接触可動部４２の一部が覆われて、ハウジング２の幅方向Ｗ（図７に示す）における板ばね部３０および表示用可動部材４０の移動が規制されている。
【００６６】
図９に示すように、接触可動部４２は、ガイド面１６に沿って延びる第３部材４２４で構成されている。第３部材４２４は、端子接続面１１に対向して電線の導体部が接触可能な接触面４２５と、ガイド面１６に対向してガイド面１６に向かって湾曲した湾曲面４２６とを有している。図８に示すように、第３部材４２４の湾曲面４２６とガイド面１６との間には、端子接続面１１に交差する方向において、隙間１８が形成されている。すなわち、第２実施形態の端子台１では、第１端部４４が第１方向Ａに移動することにより、接触可動部４２が、ガイド面１６に接触することなく配列方向に移動して、本体部４１を端子接続面１１に接近する第２方向Ｂに移動させる。すなわち、第３部材４２４とガイド面１６との間に隙間１８を設けることにより、接触可動部４２を配列方向に移動し易くしている。なお、第１実施形態の端子台１と同様に、接触可動部４２がガイド面１６に接触しつつ配列方向に移動するように構成してもよい。
【００６７】
図１０に示すように、接触可動部４２は、第１端部４４の厚さＴ１が、本体部４１の厚さＴ２よりも大きくなるように構成されている。接触可動部４２の第１端部４４の厚さＴ１は、例えば、接触可動部４２の電線の導体部１００が接触する部分における厚さの平均値あるいは最小値から算出することができる。
【００６８】
復帰用ばね部５０は、一例として、端子接続面１１に交差（例えば、直交）する方向に沿って配置された板ばねで構成されている。詳しくは、復帰用ばね部５０は、図８に示すように、配列方向における接触可動部４２の第１端部４４と第２端部４５との間で、接触可動部４２と一体に設けられており、固定部３１と略平行に延びている。復帰用ばね部５０のその延在方向におけるガイド面１６から遠い先端部５１は、本体部４１に接近する方向に延びるように折り曲げられて、ハウジング２に固定されている。復帰用ばね部５０のその延在方向におけるガイド面１６に近い基端部５２は、図１０に示すように、本体部４１から離れる方向に延びるように折り曲げられて、接触可動部４２の内部に配置されている。
【００６９】
第１実施形態の端子台１のように復帰用ばね部５０を樹脂のみで構成すると、例えば、摂氏１００度を超える高熱が端子台１に加えられる環境下では、復帰用ばね部５０が変形し、表示用可動部材４０の復帰に（すなわち、本体部４１の先端部４３を表示位置Ｐ１から非表示位置Ｐ２移動させるのに）必要なばね性を確保できない場合がある。第２実施形態の端子台１では、復帰用ばね部５０が、金属部材を有しているので、熱による復帰用ばね部５０の変形を低減することができる。その結果、摂氏１００度を超える高熱が加えられる環境下であっても、表示用可動部材４０の復帰に必要なばね性を確保できる。
【００７０】
また、復帰用ばね部５０が、端子接続面１１に交差する方向に沿って配置された板ばねで構成されている。これにより、簡単な構成で、熱による復帰用ばね部５０の変形を低減することできる。その結果、摂氏１００度を超える高熱が加えられる環境下であっても、表示用可動部材４０の復帰に必要なばね性を確保できる。また、復帰用ばね部５０が、端子接続面１１に交差する方向、すなわち、電線の導体部の挿抜方向に沿って配置されているので、収容部１０の省スペース化を図ることができる。
【００７１】
また、復帰用ばね部５０が、配列方向における接触可動部４２の第１端部４４と第２端部４５との間で、接触可動部４２と一体に設けられており、復帰用ばね部５０の一端部５２が、配列方向に折り曲げられて、接触可動部４２の内部に配置されている。このような構成により、接触可動部４２の剛性を高めることができるので、表示用可動部材４０を小型化しても接触可動部４２の変形を抑制できる。その結果、端子台１を小型化しても、正確な電線の接続状況を使用者に報知できる。
【００７２】
また、接触可動部４２が、板状を有し、第１端部４４の厚さＴ１が、本体部４１の厚さＴ２よりも大きくなるように構成されている。このような構成により、接触可動部４２の剛性を高めることができるので、表示用可動部材４０を小型化しても接触可動部４２の変形を抑制できる。その結果、端子台１を小型化しても、正確な電線の接続状況を使用者に報知できる。
【００７３】
なお、復帰用ばね部５０は、金属部材を有していればよく、板ばねで構成され、接触可動部４２と一体に設けられている場合に限らない。例えば、図１１に示すように、復帰用ばね部５０として、円錐ばねを用いてもよい。図１１に示す復帰用ばね部５０は、接触可動部４２の第１端部４４と端子電極部２０の横板部２２とに接触するように配置されている。
【００７４】
また、図１２および図１３に示すように、復帰用ばね部５０として、トーションばねを用いることもできる。図１２に示す復帰用ばね部５０は、接触可動部４２の中間に配置されて、配列方向において、その一端５１１が接触可動部４２の第１端部４４に向かって延びて、接触可動部４２に設けられた溝部４２７に収容されて接触可動部４２と一体化されている。また、復帰用ばね部５０の他端５２１は、接触可動部４２の第２端部４５に向かって延びて、ハウジング２の板ばね固定部１７の近傍に設けられた係止部１９に引っ掛けられて係止されている。図１２の端子台１では、電線の導体部１００により接触可動部４２の第１端部４４を第１方向Ａに移動させていくと、復帰用ばね部５０の一端５１１がガイド面１６に接触し、次第に他端５２１に接近していく。これにより、接触可動部４２が第２方向Ｂに付勢される。図１３に示す復帰用ばね部５０は、配列方向における板ばね部３０の固定部３１と可動部３２との間で、かつ、端子接続面１１に交差する方向における板ばね部３０と接触可動部４２との間に配置されている。図１３の復帰用ばね部５０の一端５１１は、接触可動部４２の第１端部４４に向かって延び、その先端が接触可動部４２に接続されている。図１３の復帰用ばね部５０の他端５２１は、接触可動部４２の第２端部４５に向かって延びている。図１３の端子台１では、電線の導体部１００により接触可動部４２の第１端部４４を第１方向Ａに移動させていくと、復帰用ばね部５０の一端５１１が、次第に他端５２１に接近していく。これにより、接触可動部４２が第２方向Ｂに付勢される。
【００７５】
また、図１４に示すように、復帰用ばね部５０は、樹脂ばね５３と、板ばね５４とで構成することもできる。図１４に示す復帰用ばね部５０では、樹脂ばね５３は、接触可動部４２の中間から第２方向Ｂに向かって延びて、その先端が配列方向における板ばね部３０の固定部３１と可動部３２との間でハウジング２に固定されている。板ばね５４は、樹脂ばね５３に沿って延びて、樹脂ばね５３と一体に設けられている。図１４の端子台１では、例えば、樹脂ばね５３にスリットを設け、このスリットに板ばね５４を収容してもよい。
【００７６】
接触可動部４２は、第１端部４４の厚さＴ１が、本体部４１の厚さＴ２よりも大きくなるように構成されている場合に限らず、第１端部４４の厚さＴ１が、本体部４１の厚さＴ２と同じになるように構成してもよい。
【００７７】
以上、図面を参照して本開示における種々の実施形態を詳細に説明したが、最後に、本開示の種々の態様について説明する。なお、以下の説明では、一例として、参照符号も添えて記載する。
【００７８】
本開示の第１態様の端子台１は、
内部に設けられた収容部１０と、端子接続面１１とを有し、前記端子接続面１１に、電線の導体部が挿抜可能な第１開口部１２と、前記第１開口部１２に隣接しかつ治具が挿抜可能な第２開口部１３と、前記第２開口部１３に隣接しかつ前記導体部の接続状態を表示可能な第３開口部１４とが直列的に並んで前記収容部１０にそれぞれ接続されている絶縁性のハウジング２と、
前記収容部１０に配置された端子電極部２０、板ばね部３０、表示用可動部材４０および復帰用ばね部５０と
を備え、
前記収容部１０が、
前記端子接続面１１に交差する方向に延びかつ前記第１開口部１２に接続されていると共に、前記電線の前記導体部が移動可能な電線通路部６１と、
前記端子接続面１１に交差する方向に延びかつ前記第２開口部１３に接続されていると共に、前記治具が移動可能な治具通路部６２と、
前記第１開口部１２、前記第２開口部１３および前記第３開口部１４の配列方向に沿って延びて、前記端子接続面１１に交差する方向において前記電線通路部６１および前記治具通路部６２を前記端子接続面１１と共に挟むように配置されたガイド面１６と
を有し、
前記端子電極部２０が、
前記電線通路部６１に沿って延びていると共に、前記第１開口部１２から前記電線通路部６１に挿入された前記導体部に接触可能に配置された接触部２３を有し、
前記板ばね部３０が、
一方の端部に設けられ、前記配列方向において、前記端子電極部２０の前記接触部２３との間に前記電線通路部６１および前記治具通路部６２が位置するように前記ハウジング２に固定された固定部３１と、
他方の端部に設けられ、前記配列方向における前記固定部３１と前記端子電極部２０との間で前記端子電極部２０の前記接触部２３に対向しかつ前記電線通路部６１および前記治具通路部６２に亘って配置されて、前記固定部３１に対して移動可能な可動部３２と
を有し、
前記可動部３２が、前記第１開口部１２から前記電線通路部６１に挿入された前記導体部を前記端子電極部２０の前記接触部２３との間で挟持して前記導体部と前記端子電極部２０とを接続状態にすると共に、前記第２開口部１３から前記治具通路部６２に挿入された前記治具に接触し、前記可動部３２と前記導体部との接触を解除して、前記導体部と前記端子電極部２０とを非接続状態にするよう配置され、
前記表示用可動部材４０が、
前記端子接続面１１に交差する方向に延びている共に、その延在方向の先端部４３が、前記第３開口部１４で前記ハウジング２の外部に露出する表示位置Ｐ１と、前記収容部１０に収容された非表示位置Ｐ２との間を往復移動可能な本体部４１と、
前記ガイド面１６に沿って延びて、延在方向の第１端部４４が前記電線通路部６１で前記導体部に接触して前記端子接続面１１に交差する方向でかつ前記端子接続面１１から離れる第１方向Ａに移動可能に配置され、延在方向の第２端部４５が前記本体部４１に接続されていると共に、前記第１端部４４が前記第１方向Ａに移動することにより前記配列方向に移動して、前記本体部４１を前記端子接続面１１に交差する方向でかつ前記端子接続面１１に接近する第２方向Ｂに移動させる接触可動部４２と
を有し、
前記復帰用ばね部５０が、
前記表示用可動部材４０の前記本体部４１を前記第１方向Ａに向かって付勢するように構成され、
前記導体部が、前記第１開口部１２から前記電線通路部６１に挿入されて、前記接触可動部４２の前記第１端部４４を前記第１方向Ａに移動させることにより、前記本体部４１が前記第２方向Ｂに移動し、前記本体部４１の前記端子接続面１１に近い方の先端部４３が前記非表示位置Ｐ１から前記表示位置Ｐ２に移動して、前記導体部の前記端子電極部２０に対する接続状態が前記非接続状態から前記接続状態に変更されたことを表示し、
前記導体部が前記電線通路部６１から抜出されることにより、前記本体部４１が前記復帰用ばね部５０の付勢力によって前記第１方向Ａに向かって移動し、前記先端部４３が前記表示位置Ｐ２から前記非表示位置Ｐ１に移動して、前記導体部の前記端子電極部２０に対する接続状態が前記接続状態から前記非接続状態に変更されたことを表示する。
【００７９】
第１態様の端子台１によれば、回転運動ではなく、表示用可動部材４０の先端部４３の端子接続面１１に交差する方向への直線的な移動により、第３開口部１４において導体部１００の端子電極部２０に対する接続状態であるか非接続状態であるかを表示することができるので、端子台１を小型化しても、収容部１０内に表示用可動部材４０の可動領域を確保することができる。その結果、端子台１を小型化しても、正確な電線の接続状況を使用者に報知できる。
【００８０】
本開示の第２態様の端子台１は、
前記収容部１０が、
前記端子接続面１１に交差する方向に延びかつ前記第３開口部１４に接続されていると共に、前記端子接続面１１に交差する方向において前記端子接続面１１と前記ガイド面１６とで挟まれるように配置され、前記配列方向において前記第２開口部１３との間に前記第３開口部１４が位置するように配置されて、前記表示用可動部材４０の前記本体部４１が移動可能な可動部材通路部６３を有する。
【００８１】
第２態様の端子台１によれば、表示用可動部材４０の本体部４１の先端部４３が収容部１０内に位置している場合に、端子接続面１１に直交する方向において、本体部４１の先端部４３が第３開口部１４からハウジング２の外部に露出し難くすることができる。その結果、電線の接続状況をより正確に使用者に報知できる。
【００８２】
本開示の第３態様の端子台１は、
前記可動部材通路部６３が、その第３開口部１４側の端部に設けられ、前記第２方向Ｂでかつ前記第２開口部１３に接近する方向に湾曲する湾曲部６４を有し、
前記表示用可動部材４０の前記本体部４１の前記先端部４３が、前記湾曲部６４の湾曲形状に沿って湾曲している。
【００８３】
第３態様の端子台１によれば、表示用可動部材４０の本体部４１を端子接続面１１に交差する方向に少ない力で容易に移動させることができる。
【００８４】
本開示の第４態様の端子台１は、
前記表示用可動部材４０および前記復帰用ばね部５０が、一体に設けられている。
【００８５】
第４態様の端子台１によれば、部品点数の増加を抑制して製造コストを低減可能な端子台１を実現できる。
【００８６】
本開示の第５態様の端子台１は、
前記表示用可動部材４０の前記接触可動部４２が、
前記ガイド面１６に沿って延びて、その延在方向の一端部が前記第２端部４５を構成していると共に、前記第１端部４４の前記第１方向Ａおよび前記第２方向Ｂの移動に応じて前記ガイド面１６上を摺動する当接部４２３を有する第１部材４２１と、
前記配列方向でかつ前記本体部４１から離れるに従って前記端子接続面１１に接近する方向に延びていると共に、延在方向の一端部が前記第１部材４２１のその延在方向の他端部に接続され、延在方向の他端部が前記第１端部４４を構成している第２部材４２２と
を有する。
【００８７】
第５態様の端子台１によれば、簡単な構成で、第３開口部１４において導体部１００の端子電極部２０に対する接続状態であるか非接続状態であるかを表示することができる。
【００８８】
本開示の第６態様の端子台１は、
前記復帰用ばね部５０が、金属部材を有している。
【００８９】
第６態様の端子台１によれば、復帰用ばね部５０が、金属部材を有しているので、熱による復帰用ばね部５０の変形を低減することができる。その結果、摂氏１００度を超える高熱が加えられる環境下であっても、表示用可動部材４０の復帰に必要なばね性を確保できる。
【００９０】
本開示の第７態様の端子台１は、
前記復帰用ばね部５０が、前記端子接続面１１に交差する方向に沿って配置された板ばねで構成されている。
【００９１】
第７態様の端子台１によれば、簡単な構成で、熱による復帰用ばね部５０の変形を低減することできる。その結果、摂氏１００度を超える高熱が加えられる環境下であっても、表示用可動部材４０の復帰に必要なばね性を確保できる。
【００９２】
本開示の第８態様の端子台１は、
前記復帰用ばね部５０が、前記配列方向における前記接触可動部４２の前記第１端部４４と前記第２端部４５との間で、前記接触可動部４２と一体に設けられており、
前記復帰用ばね部５０の一端部５２が、前記配列方向に折り曲げられて、前記接触可動部４２の内部に配置されている。
【００９３】
第８態様の端子台１によれば、接触可動部４２の剛性を高めることができるので、表示用可動部材４０を小型化しても接触可動部４２の変形を抑制できる。その結果、端子台１を小型化しても、正確な電線の接続状況を使用者に報知できる。
【００９４】
本開示の第９態様の端子台１は、
前記接触可動部４２が、板状を有し、前記第１端部４４の厚さが、前記本体部４１の厚さよりも大きくなるように構成されている。
【００９５】
第９態様の端子台１によれば、接触可動部４２の剛性を高めることができるので、表示用可動部材４０を小型化しても接触可動部４２の変形を抑制できる。その結果、端子台１を小型化しても、正確な電線の接続状況を使用者に報知できる。
【００９６】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００９７】
本開示の端子台は、例えば、制御盤に用いることができる。
【符号の説明】
【００９８】
１  端子台
２  ハウジング
３  端子接続部
１０  収容部
１１  端子接続面
１２  第１開口部
１３  第２開口部
１４  第３開口部
１５  開口面
１６  ガイド面
１７  板ばね固定部
１８  隙間
１９  係止部
２０  端子電極部
２１  縦板部
２２  横板部
２３  接触部
３０  板ばね部
３１  固定部
３２  可動部
３２１  先端部
４０  表示用可動部材
４１  本体部
４２  接触可動部
４２１  第１部材
４２２  第２部材
４２３  当接部
４２４  第３部材
４２５  接触面
４２６  湾曲面
４２７  溝部
４３  先端部
４４  第１端部
４５  第２端部
４６  突出部
４６１  先端部
５０  復帰用ばね部
５１  先端部
５１１  一端
５２  基端部
５２１  他端
５３  樹脂ばね
５４  板ばね
６１  電線通路部
６２  治具通路部
６３  可動部材通路部
６４  湾曲部
７１  第１移動規制部
７２  第２移動規制部
７３  第３移動規制部
７４  第４移動規制部
１００  導体部
Ｌ  仮想直線
Ｗ  幅方向
Ａ  第１方向
Ｂ  第２方向
【図１】
0006988848.tif 000002
【図２】
0006988848.tif 000003
【図３】
0006988848.tif 000004
【図４】
0006988848.tif 000005
【図５】
0006988848.tif 000006
【図６】
0006988848.tif 000007
【図７】
0006988848.tif 000008
【図８】
0006988848.tif 000009
【図９】
0006988848.tif 000010
【図１０】
0006988848.tif 000011
【図１１】
0006988848.tif 000012
【図１２】
0006988848.tif 000013
【図１３】
0006988848.tif 000014
【図１４】
0006988848.tif 000015